(57)【要約】      （修正有）【課題】フロスの利用時に、指をユーザの口腔に挿し込む必要がなく、指に付いたゴミや細菌などがユーザの口腔に侵入しないフロス握り構造を提供する。【解決手段】両端に台座１１がそれぞれ設けられ、台座１１に第１接合部１２が設けられ、第１接合部１２に第１定位部１３が設けられるフロス１０と、台座１１の第１接合部１２に応じて第２接合部が設けられ、第２接合部に第２定位部２２が設けられ、第１定位部１３と第２定位部２２によりフロス１０を定位する二つの握り体２０と、を備える。握り体２０は、台座１１が最も奥の奥歯に接触している際でも、ユーザが口腔の外で握ることができる程度に長い。【選択図】図１
0003158023.tif 000002
【実用新案登録請求の範囲】
【請求項１】
両端に台座（１１）がそれぞれ設けられ、前記台座（１１）に第１接合部（１２）が設けられ、前記第１接合部（１２）に第１定位部（１３）が設けられるフロス（１０）と、
前記台座（１１）の前記第１接合部（１２）に応じて第２接合部（２１）が設けられ、前記第２接合部（２１）に第２定位部（２２）が設けられ、前記第１定位部（１３）と前記第２定位部（２２）により前記フロス（１０）を定位する二つの握り体（２０）と、を備え、
前記握り体（２０）は、前記台座（１１）の前記フロス（１０）が接続された端部が最も奥の奥歯に接触している際でも、ユーザが口腔の外で握ることができる程度に長い、
ことを特徴とするフロス握り構造。
【請求項２】
前記第１接合部（１２）は柱形状を呈し、前記第２接合部（２１）は前記第１接合部（１２）を挿入可能な凹部形状を呈することを特徴とする、請求項１に記載のフロス握り構造。
【請求項３】
前記第１定位部（１３）はバンプであり、前記第２定位部（２２）は前記第１定位部（１３）を挿入可能な切り欠（２２１）であることを特徴とする、請求項１に記載のフロス握り構造。
【請求項４】
前記第２定位部（２２）の前記切り欠（２２１）には、係止ブロック（２２２）が設けられ、前記係止ブロック（２２２）により前記第１定位部（１３）のバンプが係止されることを特徴とする、請求項３に記載のフロス握り構造。
【請求項５】
前記第１接合部（１２）に第１規制部（１４）が設けられ、前記第２接合部（２１）に第２規制部（２３）が設けられ、前記第１規制部（１４）と前記第２規制部（２３）により前記第１接合部（１２）と前記第２接合部（２１）が互いに変位不能になることを特徴とする、請求項１に記載のフロス握り構造。
【請求項６】
前記第１規制部（１４）は切り欠であり、前記第２規制部（２３）は前記切り欠と係止可能なバンプであることを特徴とする、請求項５に記載のフロス握り構造。
【請求項７】
前記台座（１１）には、荒い皺（１５）が設けられることを特徴とする、請求項１に記載のフロス握り構造。
【考案の詳細な説明】
【技術分野】
【０００１】
本考案は、フロス握り構造に関し、特に、歯の隙間を清潔にするためのデンタルフロスの握り構造に関するものである。
【背景技術】
【０００２】
口腔の清潔は極めて重要なことであり、特に、歯の清潔は最も重要なことであって、人は一般に起床または就寝前に歯を清掃しているが、実は毎食事後に歯が侵食され易い。その原因は、食事後に、口腔内の酸性が増加し、即時に歯を清潔にしないと、歯が侵食されることにある。歯ブラシによる歯の清掃は、歯の表面だけは清潔にできても、歯の隙間まで清潔にすることができず、歯の隙間が歯の清掃の死角になる。
【０００３】
歯の隙間の清掃には、一般に爪楊枝を使用するが、爪楊枝は硬く且つ直径が大きいので、長期間に亘り爪楊枝を使用すると、歯の隙間が増大し、歯の見栄えが悪くなるだけでなく、食べ物の屑が歯の隙間に挟まれ易くなるという問題があった。そこで現在、多くの歯医者はフロスにより歯を清掃することを薦める。フロスの利用を便利にするために、例えば特許文献１が提案された。米国特許第４０１６８９２号は、フロスの両端に握り具をそれぞれ設けることにより、ユーザが指で握り具を握りながら、歯の隙間を清潔することができ、そしてこのような握り具付きフロスは、毎回の利用したいときに、フロスを予定の長さに切断するだけで利用することができるため、大量生産が可能である。
【先行技術文献】
【特許文献】
【０００４】
【特許文献１】米国特許第４０１６８９２号
【考案の概要】
【考案が解決しようとする課題】
【０００５】
しかしながら、これは次のような欠点があった。
（１）握り具の長さが短すぎるため、フロスの利用時に指をユーザの口腔に挿し込むが必要があり、また、指にはゴミや細菌などが付着し易いので、そのゴミや細菌などがユーザの口腔に侵入する。
【０００６】
（２）操作のスキルのレベルが高く、更に、指がより太いユーザの場合には、操作が困難である。
【０００７】
従って、上記の諸問題を解決するためになされた本考案の主な目的は、フロスの利用時に、指をユーザの口腔に挿し込む必要がなく、且つ指に付いたゴミや細菌などがユーザの口腔に侵入しないフロス握り構造を提供することにある。
【課題を解決するための手段】
【０００８】
本考案のフロス握り構造は、両端に台座（１１）がそれぞれ設けられ、前記台座（１１）に第１接合部（１２）が設けられ、前記第１接合部（１２）に第１定位部（１３）が設けられるフロス（１０）と、前記台座（１１）の前記第１接合部（１２）に応じて第２接合部（２１）が設けられ、前記第２接合部（２１）に第２定位部（２２）が設けられ、前記第１定位部（１３）と前記第２定位部（２２）により前記フロス（１０）を定位する二つの握り体（２０）と、を備え、前記握り体（２０）は、前記台座（１１）の前記フロス（１０）が接続された端部が最も奥の奥歯に接触している際でも、ユーザが口腔の外で握ることができる程度に長い、ことを特徴とする。
【０００９】
本考案のフロス握り構造によると好ましくは、前記第１接合部（１２）は柱形状を呈し、前記第２接合部（２１）は前記第１接合部（１２）を挿入可能な凹部形状を呈することを特徴とする。
【００１０】
本考案のフロス握り構造によると好ましくは、前記第１定位部（１３）はバンプであり、前記第２定位部（２２）は前記第１定位部（１３）を挿入可能な切り欠（２２１）である。
【００１１】
本考案のフロス握り構造によると好ましくは、前記第２定位部（２２）の前記切り欠（２２１に）は、係止ブロック（２２２）が設けられ、前記係止ブロック（２２２）により前記第１定位部（１３）のバンプが係止される。
【００１２】
本考案のフロス握り構造によると好ましくは、前記第１接合部（１２）に第１規制部（１４）が設けられ、前記第２接合部（２１）に第２規制部（２３）が設けられ、前記第１規制部（１４）と前記第２規制部（２３）により前記第１接合部（１２）と前記第２接合部（２１）が互いに変位不能になる。
【００１３】
本考案のフロス握り構造によると好ましくは、前記第１規制部（１４）は切り欠であり、前記第２規制部（２３）は前記切り欠と係止可能なバンプである。
【００１４】
本考案のフロス握り構造によると好ましくは、前記台座（１１）には、荒い皺（１５）が設けられる。
【考案の効果】
【００１５】
本考案のフロス握り構造によれば、次のような効果がある。
（１）フロスの利用時に、ユーザは指を口腔に挿し込む必要がなく、且つ指に付いたゴミや細菌などがユーザの口腔に侵入しないので、口腔の衛生を保持できる。
【００１６】
（２）握り体の直径がユーザの指の直径よりも小さいので、握り体を口腔内で自在に操作でき、歯の隙間を清掃する操作が容易になる。
【００１７】
（３）フロスを利用した後に、握り体からフロスと台座を取外して握り体の第２接合部を清掃できるので口腔の衛生を保持でき、且つ握り体を繰り返して利用できるので、資源を無駄にしない。
【図面の簡単な説明】
【００１８】
【図１】本考案の一実施形態のフロス握り構造の組立て済み状態の斜視図である。
【図２】本考案の一実施形態のフロス握り構造の分解斜視図である。
【図３】本考案の一実施形態のフロス握り構造の一部の断面図である。
【図４】本考案の一実施形態のフロス握り構造の使用状態を示す模式図である。
【考案を実施するための形態】
【００１９】
以下、本考案の実施の形態を図面に基づいて説明する。
まず、図１を参照すると、本考案の一実施形態のフロス握り構造は、一本のフロス１０と、二つの握り体２０と、を含む。フロス１０の両端に台座１１がそれぞれ設けられ、二つの握り体２０は、台座１１と連結し、フロス１０の両端に位置される。
【００２０】
図２及び図３を参照すると、台座１１に第１接合部１２が設けられ、握り体２０には、第１接合部１２に対応する第２接合部２１が設けられ、本考案の実施例では、第１接合部１２は柱形状を呈し、第２接合部２１は第１接合部１２を挿入可能な凹部形状を呈する。
第１接合部１２に第１定位部１３が設けられ、第２接合部２１には、第１定位部１３に対応する第２定位部２２が設けられ、第１定位部１３と第２定位部２２により、フロス１０と握り体２０が定位され、第１定位部１３はバンプであり、第２定位部２２は第１定位部１３を挿入可能な切り欠２２１である。
また、第２定位部２２の切り欠２２１には、係止ブロック２２２が設けられ、これにより、握り体２０の第２接合部２１に台座１１の第１接合部１２を挿入するときに、第２定位部２２の切り欠２２１に第１定位部１３のバンプが挿入され、第１定位部１３のバンプが第２定位部２２の係止ブロック２２２と係止する。そうすると、フロス１０が握り体２０に安定に結合されると共に、第１接合部１２と第２接合部２１の相対回動を防止することができる。
一方、第１接合部１２に第１規制部１４が設けられ、第２接合部２１に第２規制部２３が設けられ、第１規制部１４と第２規制部２３により第１接合部１２と第２接合部２１が互いに変位不能になり、第１規制部１４は切り欠であり、第２規制部２３は前記切り欠と係止可能なバンプであり、そうすると、第１接合部１２と第２接合部２１の相対回動を防止できる。
握り体２０とユーザの指の摩擦力を増加するために、台座１１には、荒い皺１５が設けられる。
【００２１】
図４を参照しながら本考案の使用状態を説明する。まず、ユーザの両手の指４０により握り体２０をそれぞれ握って、口腔３０に握り体２０を挿入して、二つの握り体２０の間にあるフロス１０により歯３１の隙間を清潔することができ、そうすると、使用中に、握り体（２０）は、台座（１１）のフロス（１０）が接続された端部が最も奥の奥歯に接触している際でも、ユーザが口腔の外で握ることができる程度に長いので、ユーザは指４０を口腔３０に挿し込む必要がなく、指に付いているかも知れないゴミや細菌などがユーザの口腔３０に侵入せず、口腔３０の衛生を保持できる。
【００２２】
このように、本考案を特定の例を参照して説明したが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【産業上の利用可能性】
【００２３】
本考案は、デンタルフロスに好適に適用できる。
【符号の説明】
【００２４】
１０    フロス、
１１    台座、
１２    第１接合部、
１３    第１定位部、
１４    第１規制部、
１５    皺、
２０    握り体、
２１    第２接合部、
２２    第２定位部、
２３    第２規制部、
３０    口腔、
４０    指、
２２１    切り欠、
２２２    係止ブロック。
【図１】
0003158023.tif 000003
【図２】
0003158023.tif 000004
【図３】
0003158023.tif 000005
【図４】
0003158023.tif 000006